(57)【要約】【課題】意匠性を損ねることなく前面パネルに透明部材を係止可能な空気調和装置の室内機を提供することを目的とする。【解決手段】前面パネル４と、前面パネル４に取り付ける透明部材５と、を備える空気調和装置の室内機であって、前面パネル４は、透明部材５が係止する前面パネル用係止部８を有し、透明部材５は、その長手方向の外縁に沿って延在し、透明部材５の裏面側に対して略直交して立設される中間リブ１２、１２ａと、中間リブ１２、１２ａに設けられ前面パネル用係止部８に係止する透明部材用爪部１１と、を有し、透明部材用爪部１１は、中間リブ１２、１２ａの立設方向に直交して透明部材５の外側に向かって突出することを特徴とする。【選択図】図３
2012077973.tif 000002
【特許請求の範囲】
【請求項１】
前面パネルと、
該前面パネルに取り付ける透明部材と、を備える空気調和装置の室内機であって、
前記前面パネルは、前記透明部材が係止する前面パネル用係止部を有し、
前記透明部材は、その長手方向の外縁に沿って延在し、該透明部材の裏面側に対して略直交して立設される中間リブと、該中間リブに設けられ前記前面パネル用係止部に係止する透明部材用爪部と、を有し、
該透明部材用爪部は、前記中間リブの立設方向に直交して前記透明部材の外側に向かって突出することを特徴とする空気調和装置の室内機。
【請求項２】
前記前面パネルは、前記透明部材に向かって突出して、該透明部材に係止する前面パネル用爪部を有し、
前記中間リブの立設方向の途中位置に該中間リブの側面に対して平行に突出して設けられて、前記前面パネル用爪部が係止する透明部材用係止部を有することを特徴とする請求項１に記載の空気調和装置の室内機。
【発明の詳細な説明】
【技術分野】
【０００１】
本発明は、空気調和装置の室内機に関して、特に、前面パネルに取り付ける透明部材の取付に関するものである。
【背景技術】
【０００２】
近年は、空気調和装置の室内機に設けられる前面パネルには、デザイン性を目的として透明な透明部材が取り付けられている。この透明部材は、塗装などの処理を行い意匠性を高めることが可能とされている。透明部材は、その裏面側に設けられている固定爪を前面パネルに設けられている係止部に係止させたり、両面テープによって前面パネルに固定されている（例えば、特許文献１）。
【０００３】
特許文献２には、前面パネルの裏面側に溶着リブを設けて、透明部材には透明部材の上面と前面とが交わる稜線を中心として描いた際に円弧状になるように側面リブを設けて、その側面リブに形成された挿入孔に溶着リブを挿入することによって、不透明な前面パネルの裏面側に設けられている溶着リブや透明部材に設けられている側面リブが透明部材の正面側から見えないようにすることが開示されている。
【先行技術文献】
【特許文献】
【０００４】
【特許文献１】特開２０１０−０６５９５６号公報
【特許文献２】特開２００６−１９４５５７号公報
【発明の概要】
【発明が解決しようとする課題】
【０００５】
しかしながら、従来の前面パネルと透明部材とを係止させる場合や特許文献１に記載の発明の場合には、透明部材の裏面側に対して略直交して立設されているモールの立設方向の端部に固定爪の基端部が設けられているため、透明部材を正面側から見た際にモールの立設方向の高さ(肉厚)が変わってしまい固定爪の基端部が透明部材の正面側に投影されることとなり、室内機の意匠性を損ねるという問題があった。
【０００６】
また、特許文献２に記載の発明では、透明部材を前面パネルに固定するためには透明部材に設けられた側面リブの挿入孔に前面パネルの裏面側に設けた溶着リブを挿入し、溶着リブを溶着する必要があった。
【０００７】
本発明は、このような事情に鑑みてなされたものであって、意匠性を損ねることなく前面パネルに透明部材を係止可能な空気調和装置の室内機を提供することを目的とする。
【課題を解決するための手段】
【０００８】
上記目的を達成するために、本発明は、以下の手段を提供する。
本発明に係る空気調和装置の室内機によれば、前面パネルと、該前面パネルに取り付ける透明部材と、を備える空気調和装置の室内機であって、前記前面パネルは、前記透明部材が係止する前面パネル用係止部を有し、前記透明部材は、その長手方向の外縁に沿って延在し、該透明部材の裏面側に対して略直交して立設される中間リブと、該中間リブに設けられ前記前面パネル用係止部に係止する透明部材用爪部と、を有し、該透明部材用爪部は、前記中間リブの立設方向に直交して前記透明部材の外側に向かって突出することを特徴とする。
【０００９】
従来は、前面パネルに設けられる透明部材を固定するためには、両面テープを使用したり、前面パネル用係止部に透明部材用爪部を係止させて固定していた。しかし、透明部材の裏面側に対して略直交して立設される中間リブの延在端に設けられた透明部材用爪部と、前面パネル用係止部とを係止させた場合には、前面パネルに透明部材を取付けて正面視した際に、中間リブの立設方向の高さ（肉厚）が変化することにより、透明部材用爪部を設けた部分が影を帯びることによって美観が損なわれていた。
【００１０】
そこで、本発明では、透明部材用爪部を透明部材の裏面側に立設される中間リブに直交に透明部材の外側に向かって突出させて設けることとした。これにより、透明部材用爪部を中間リブに設けた場合であっても、中間リブの立設方向の高さ（肉厚）に変化が生じない。したがって、前面パネルに透明部材を取付けて正面視した際に、美観が損なわれることを抑制することができる。
また、前面パネル用係止部と透明部材用爪部とを用いて、前面パネルに透明部材を取付けることとしたので、両面テープを使用しなくても確実に固定することができる。
【００１１】
本発明に係る空気調和装置の室内機によれば、前記前面パネルは、前記透明部材に向かって突出して、該透明部材に係止する前面パネル用爪部を有し、前記中間リブの立設方向の途中位置に該中間リブの側面に対して平行に突出して設けられて、前記前面パネル用爪部が係止する透明部材用係止部を有することを特徴とする。
【００１２】
中間リブには、中間リブの立設する方向の途中位置に中間リブの側面に対して平行に透明部材用係止部を設けて、透明部材に向かって突出する前面パネル用爪部を係止させることとした。そのため、透明部材用係止部が設けられる中間リブの立設方向の高さ（肉厚）の変化を防止することができる。したがって、前面パネルに透明部材を取付けて正面視した際に、美観が損なわれることを抑制することができる。
【発明の効果】
【００１３】
本発明に係る空気調和装置の室内機によれば、透明部材用爪部を透明部材の裏面側に立設される中間リブに直交に透明部材の外側に向かって突出させて設けることとした。これにより、透明部材用爪部を中間リブに設けた場合であっても、中間リブの立設方向の高さ（肉厚）に変化が生じない。したがって、前面パネルに透明部材を取付けて正面視した際に、美観が損なわれることを抑制することができる。
また、前面パネル用係止部と透明部材用爪部とを用いて、前面パネルに透明部材を取付けることとしたので、両面テープを使用しなくても確実に固定することができる。
【図面の簡単な説明】
【００１４】
【図１】本発明の一実施形態に係る空気調和装置の室内機のフロントパネルを閉状態にした場合を示し、（Ａ）は、その斜視図であり、（Ｂ）は、その前面図であり、（Ｃ）は、（Ｂ）の側面図である。
【図２】図１に示す室内機のフロントパネルを開状態にした場合を示し、（Ａ）は、その斜視図であり、（Ｂ）は、その前面図であり、（Ｃ）は、（Ｂ）の側面図である。
【図３】図１に示すフロントパネルおよびデザインインレットモールを示し、（Ａ）は、その正面斜視図であり、（Ｂ）は、裏面斜視図であり、（Ｃ）は、（Ｂ）に示すモール側係止爪とパネル側係止部の係止状態を示す部分拡大図であり、（Ｄ）は、モール側係止部およびモール側係止爪の部分拡大図である。
【図４】図１に示すフロントパネルおよびデザインインレットモールを示し、（Ａ）は、その前面図であり、（Ｂ）は、その側面図であり、（Ｃ）は、フロントパネルとデザインインレットモールとの係止状態を示す部分拡大図である。
【図５】図１に示すフロントパネルおよびデザインインレットモールを示し、（Ａ）は、その組立図であり、（Ｂ）は、モール側係止爪の部分拡大図である。
【図６】図１に示すフロントパネルおよびデザインインレットモールを示し、（Ａ）は、その裏面斜視図であり、（Ｂ）は、モール側係止爪とパネル側係止部との係止状態およびモール側係止部とパネル側係止爪との係止状態を示す拡大図であり、（Ｃ）は、（Ｂ）の延直方向の部分断面拡大図である。
【発明を実施するための形態】
【００１５】
本発明の一実施形態に係る空気調和装置の室内機のフロントパネルにデザインインレットモールを取り付ける取付構造について、図１から図６を参照しながら説明する。
図１には、本発明の一実施形態に係る空気調和装置の室内機のフロントパネルを閉状態であり、（Ａ）は、その斜視図であり、（Ｂ）は、その前面図であり、（Ｃ）は、（Ｂ）の側面図が示されている。図２には、図１の室内機のフロントパネルを開状態にした場合であり、（Ａ）は、その斜視図であり、（Ｂ）は、その前面図であり、（Ｃ）は、（Ｂ）の側面図を示している。また、図３には、図１に示すフロントパネルおよびデザインインレットモールであって、（Ａ）は、その前面斜視図であり、（Ｂ）は、裏面斜視図であり、（Ｃ）は、（Ｂ）に示すモール側係止爪とパネル側係止部との係止状態を示す部分拡大図であり、（Ｄ）は、モール側係止部およびモール側係止爪の部分拡大図を示し、図４には、図１に示すフロントパネルおよびデザインインレットモールであって、（Ａ）は、その前面図であり、（Ｂ）は、その側面図であり、（Ｃ）は、（Ｂ）の部分拡大図を示している。さらに、図５には、図１に示すフロントパネルおよびデザインインレットモールであって、（Ａ）は、その組立図であり、（Ｂ）は、デザインインレットモールの係止爪の部分拡大図を示し、図６には、図１に示すフロントパネルおよびデザインインレットモールであって、（Ａ）は、その裏面斜視図であり、（Ｂ）は、モール側係止爪とパネル側係止部との係止状態およびモール側係止部とパネル側係止爪との係止状態を示す拡大図であり、（Ｃ）は、（Ｂ）の延直方向の部分断面拡大図を示している。
【００１６】
図１および図２に示すように、空気調和機の室内機１は、ベース本体２と、ベース本体２にその前方部位を上下、左右、および前面から被うように取り付けられているフロントカバー３と、フロントカバー３の前面の上部に設けられている取付部７（図２参照）を支点に上方に開閉自在に取り付けられているフロントパネル（前面パネル）４と、フロントパネル４に取り付けられているデザインインレットモール（透明部材）５と、から構成されている。
【００１７】
フロントパネル４は、非透明部材であって、その下部に着脱可能なデザインインレットモール５が設けられている。フロントパネル４の裏面側の上方であって長手方向の両端部近傍には、図３（Ｂ）に示すように、取付部７が２個所設けられており、これらの取付部７によってフロントパネル４がフロントカバー３（図１参照）の前面に開閉自在に取り付けられることとなる。
【００１８】
フロントパネル４は、図５（Ａ）に示すように、その前面の下部が裏面側に凹んでいる凹み部４ａを有している。フロントパネル４の凹み部４ａの裏面側であって凹み部４ａを形成している段差部４ｂ（図３（Ｃ）参照）には、デザインインレットモール５が着脱自在に係止するパネル側係止部（前面パネル用係止部）８がデザインインレットモール５の長手方向に４箇所に設けられている。
【００１９】
デザインインレットモール５の長手方向に４箇所に設けられているパネル側係止部８は、フロントパネル４の長手方向の両端部に２個所と、その２か所の間に略均等な間隔を有してフロントパネル４の長手方向の中央部に２個所設けられている。
【００２０】
フロントパネル４の長手方向の中央部に設けられている２個所のパネル側係止部８の略鉛直方向下方であって凹み部４ａの裏面側の下方端には、パネル側係止爪１６（図６（Ｃ）参照）が４個所に設けられている。パネル側係止爪１６（前面パネル用爪部）は、デザインインレットモール５に設けられているモール側係止部（透明部材用係止部）１５の係止穴１５ａ（図３（Ｃ）および（Ｄ）参照）に上方から下方に向かって差し込まれて係止される。
【００２１】
段差部４ｂに設けられている各パネル側係止部８は、デザインインレットモール５に設けられているモール側係止爪（透明部材用爪部）１１が下方から上方に向かって差し込まれて引っ掛かる（係止する）段差部（図示せず）と、その段差部をコの字状に囲んでいる枠状の係止枠８ａ（図６（Ｂ）および（Ｃ）参照）とを各々有している。
【００２２】
デザインインレットモール５は、フロントパネル４の長手方向と略同等の長さを有しており、フロントパネル４の凹み部４ａの正面側に設置可能な大きさとされている。デザインインレットモール５は、透明樹脂材で形成されている。透明樹脂材により形成されているデザインインレットモール５は、室内機１が設けられる室内のインテリアに溶け込むことが可能なように裏面側に塗装などの処理が可能となっている。
【００２３】
デザインインレットモール５は、図３（Ｃ）および（Ｄ）に示すように、その長手方向の外縁に沿って延在し、デザインインレットモール５の裏面側に対して略直交して立設されている中間リブ１２と、中間リブ１２のうち上方側の上方側中間リブ１２ａに設けられおりパネル側係止部８に係止するモール側係止爪１１とを有している。
【００２４】
モール側係止爪１１は、その両側に設けられている係止片１３と共にモール係止部１０を形成している。このモール係止部１０は、上方側中間リブ１２ａであって、前述したフロントパネル４に設けられているパネル側係止部８に対向している位置に合計４箇所に設けられている。
【００２５】
各モール側係止爪１１は、上方側中間リブ１２ａの立設方向に直交してデザインインレットモール５の外側に向かって突出しており、モール側係止爪１１の両側に設けられている係止片１３と共にフロントパネル４のパネル側係止部８に差し込まれて、モール側係止爪１１の先端部がパネル側係止部８の内壁に設けられている段差部に引っ掛かることによって、デザインインレットモール５をフロントパネル４に係止可能とされている。
【００２６】
このようにデザインインレットモール５をフロントパネル４に係止させる各モール側係止爪１１は、上方側中間リブ１２ａの立設方向に直交してデザインインレットモール５の外側に向かって突出するように設けられていることによって、上方側中間リブ１２ａの立設方向の長さが変化することなく、モール側係止爪１１を上方側中間リブ１２ａに設けることができる。したがって、フロントパネル４にデザインインレットモール５を取付けて正面視した際に、モール側係止爪１１が透けて見えることがない。
【００２７】
また、デザインインレットモール５は、中間リブ１２のうち下方側の下方側中間リブ１２ｂの立設方向の途中位置に基端部を有して下方側中間リブ１２ｂの下方側の側面に対して平行に突出して設けられているモール側係止部１５を有している。モール側係止部１５には、パネル側係止爪１６が係止可能となっている。
【００２８】
モール側係止部１５は、図３（Ｃ）および（Ｄ）に示すように、その略中心に係止穴１５ａと、係止穴１５ａをコの字状に囲んでいる枠状の係止枠１５ｂとを有している。モール側係止部１５の係止穴１５ａには、フロントパネル４の凹み部４ａの下方端からフロントパネル４の外側に向かって延在しているパネル側係止爪１６が差し込まれることによって、デザインインレットモール５とフロントパネル４とを係止することが可能となっている。
【００２９】
各モール側係止部１５が下方側中間リブ１２ｂの立設方向の途中位置から下方側中間リブ１２ｂの下方側の側面に対して平行に突出して設けられてことによって、デザインインレットモール５の裏面側とモール側係止部１５の基端部との間が離反することとなる。そのため、下方側中間リブ１２ｂの立設方向の高さ（肉厚）を変化させることなくモール側係止部１５の基端部とデザインインレットモール５の裏面側との間に空間を設けることができる。したがって、フロントパネル４にデザインインレットモール５を取付けて正面視した際に、モール側係止部１５が透けて見えることがない。
【００３０】
以上述べたように、本実施形態に係る空気調和装置の室内機１によれば、以下の効果を奏する。
モール側係止爪（透明部材用爪部）１１をデザインインレットモール（透明部材）５の裏面側に立設されている中間リブ１２のうち上方に設けられている上方側中間リブ（中間リブ）１２ａに直交してデザインインレットモール５の外側に向かって突出させるように設けることとした。これにより、モール側係止爪１１を上方側中間リブ１２ａに設けた場合であっても、上方側中間リブ１２ａの立設方向の高さ（肉厚）に変化が生じない。したがって、フロントパネル（前面パネル）４にデザインインレットモール５を取付けて正面視した際に、美観が損なわれることを抑制することができる。
また、パネル側係止部（前面パネル用係止部）８とモール側係止爪１１とを用いて、フロントパネル４にデザインインレットモール５を取付けることとしたので、両面テープを使用しなくても確実に固定することができる。リサイクルの観点からは、パネル側係止部８を外せばデザインインレットモール５が分解できるため、溶着による固定よりも容易に分別が可能である。
【００３１】
中間リブ１２のうち下方側の下方側中間リブ（中間リブ）１２ｂには、下方側中間リブ１２ｂの立設している方向の途中位置に下方側中間リブ１２ｂの下方側の側面に対して平行にモール側係止部（透明部材用係止部）１５を設けて、デザインインレットモール５に向かって突出しているパネル側係止爪（前面パネル用爪部）１６を係止させることとした。そのため、モール側係止部１５が設けられている下方側中間リブ１２ｂの立設方向の高さ（肉厚）の変化を防止するとともに、デザインインレットモール５とモール側係止部１５の基端部との間に空間を設けることができる。したがって、フロントパネル４にデザインインレットモール５を取付けて正面視した際に、美観が損なわれることを抑制することができる。
【符号の説明】
【００３２】
１  室内機
４  フロントパネル（前面パネル）
５  デザインインレットモール（透明部材）
８  パネル側係止部（前面パネル用係止部）
１１  モール側係止爪（透明部材用爪部）
１２  中間リブ
１２ａ  上方側中間リブ（中間リブ）
【図１】
2012077973.tif 000003
【図２】
2012077973.tif 000004
【図３】
2012077973.tif 000005
【図４】
2012077973.tif 000006
【図５】
2012077973.tif 000007
【図６】
2012077973.tif 000008